(57)【特許請求の範囲】
【請求項１】
水流路を有し且つ重力に対してトイレの上に取付けられるように構成されたトイレ用充填バルブであって、
水流出口まで延びる水流路を構成するハウジングと、
このハウジング内の水流路と連通する水流入口と、
前記ハウジングの上流部分と下流部分との間に且つ前記ハウジングの水流路に配置されたバルブと、
前記ハウジングの下流部分に配置された圧力調整器と、を有し、この圧力調整器は、第１の流路及びこの第１の流路と連通する第２の流路を有し、
前記第１の流路は、重力によって抑制される第１の水流を差し向ける向きに配置され、
前記第２の流路は、重力によって促進される第２の水流を差し向ける向きに配置されると共に、前記第１の流路の半径方向内側に配置され且つ常に前記第１の流路と流体連通をなすことを特徴とするトイレ用充填バルブ。
【請求項２】
更に、前記圧力調整器に連結された縦樋を有し、この縦樋は、前記第２の水流を、重力に向って差し向けられる少なくとも１つの成分を有する方向に順応させるように前記水流路を構成する向きに、前記ハウジングと固定関係をなして配置される、請求項１に記載のトイレ用充填バルブ。
【請求項３】
前記縦樋は、前記圧力調整器によって前記ハウジングに連結され、前記縦樋内を層流にし易くする拡径段付き部を前記圧力調整器とともに形成する、請求項２に記載のトイレ用充填バルブ。
【請求項４】
前記ハウジングは、
第１の軸線を有し且つ略水平の向きに作動的に配置されるように構成された前記ハウジングの第１部分と、
前記固定軸線を横切る第２の軸線を有し且つ略上下の向きに作動的に配置されるように構成された前記ハウジングの第２部分と、有し、
前記バルブは、前記ハウジングの第１部分内に配置され、
前記圧力調整器は、重力と反対方向の少なくとも１つの成分を有する方向に水流を順応させる水流路を形成するように、前記ハウジングの第２部分内に配置されている、請求項１に記載のトイレ用充填バルブ。
【請求項５】
前記圧力調整器は、この圧力調整器内における圧力降下を容易にするために前記水流路に螺旋形態を構成する螺旋構造体を含む、請求項１に記載のトイレ用充填バルブ。
【請求項６】
前記圧力調整器の螺旋構造体は、
第１の半径方向平面内に配置された第１のフランジと、
前記第１の半径方向平面と異なる第２の半径方向平面内に配置された第２のフランジと、
前記第１のフランジの半径方向平面と及び前記第２のフランジの半径方向平面とを連結するランプと、を備えている請求項５に記載のトイレ用充填バルブ。
【請求項７】
水流路を有するトイレ用充填バルブであって、
水流路の一部分を構成し且つ水流入口を有するハウジングと、
前記水流路内の水の圧力を低下させるために前記水流路に配置された圧力調整器と、
前記圧力調整器内に含まれ、軸線を有し、前記水流路を螺旋形状に形成する螺旋構造体と、
この螺旋構造体に含まれ、第１の半径方向平面内の向きに略配置された第１フランジと、
前記螺旋構造体に含まれ、第２の半径方向平面内の向きに略配置された第２フランジと、
前記螺旋構造体に含まれ、前記第１フランジと前記第２フランジとを連結するように配置され、前記軸線、前記第１半径方向平面及び第２半径方向平面を横断するように延びるランプと、を備えているトイレ用充填バルブ。
【請求項８】
前記圧力調整器は、ほぼ上下方向に延びる前記圧力調整器の軸線に沿って作動的に配置されている、請求項７に記載のトイレ用充填バルブ。
【請求項９】
前記ハウジングは、
ほぼ水平の向きに作動的に配置されている第１部分と、
ほぼ上下の向きに作動的に配置されている第２部分と、を有する、請求項７に記載のトイレ用充填バルブ。
【請求項１０】
前記圧力調整器は、前記ハウジングの第２部分に配置されている、請求項９に記載のトイレ用充填バルブ。
【請求項１１】
更に、前記ハウジングの第１部分と第２部分との間に配置されたバルブを有する、請求項１０に記載のトイレ用充填バルブ。
【請求項１２】
更に、前記ハウジングに連結され且つ前記水流路の一部分を構成する縦樋と、
この縦樋内を層流にし易くする少なくとも１つの拡径段付き部を構成する前記縦樋の一部分と、を備えている、請求項７に記載のトイレ用充填バルブ。
【請求項１３】
前記縦樋の一部分は、第１の拡径段付き部を構成し、前記圧力調整器の一部分は、前記縦樋とともに第２の拡径段付き部を構成する、請求項１２に記載のトイレ用充填バルブ。
【請求項１４】
前記螺旋構造体は、ほぼ上下方向に配置されるように構成され、前記水は、重力による圧力調整を容易にするために、前記螺旋構造体内を上方に流れる、請求項７に記載のトイレ充填バルブ。
【請求項１５】
トイレを水洗するための水のリザーバを構成するタンクと、
水を受入れ、前記トイレの水洗に続いて前記タンクへの水の制御された放出を提供する充填バルブと、
この充填バルブに含まれ、水流路を構成するハウジングと、
前記充填バルブに含まれ、前記充填バルブの水流路に配置され、前記タンク内への水の放出を制御するための特性を有するバルブと、
前記バルブと前記タンクとの間に延びる単一の縦樋と、
この縦樋の一部分と、を有し、この縦樋の一部分は、前記縦樋内における水及び前記タンク内への水を層流にし易くするように寸法決め及び形状決めされた複数の拡径段付き部を構成し、
更に、前記単一の縦樋に連結された圧力調整器を有し、この圧力調整器は、第１の流路及びこの第１の流路と連通する第２の流路を有し、前記第１の流路は、重力によって抑制される第１の水流を差し向ける向きに配置され、前記第２の流路は、重力によって促進される第２の水流を差し向ける向きに配置されると共に、前記第１の流路の半径方向内側に配置され且つ常に前記第１の流路と流体連通をなす、トイレ。
【請求項１６】
前記圧力調整器は螺旋構造体を含む、請求項１５に記載のトイレ。
【請求項１７】
更に、前記単一の縦樋の中に延びる前記圧力調整器の一部分を有し、この圧力調整器の一部分は、前記縦樋内への前記圧力調整器の挿入を容易にし且つ前記縦樋からの圧力調整器の外れを阻止するように曲げられた複数の歯を有する、請求項１６に記載のトイレ。
【請求項１８】
更に、前記水流路に沿って構成され、第１のエネルギーレベルの第１の水流を流入させて、第１のエネルギーレベルよりも低い第２の水エネルギーレベルの第２の水流を流出させるように構成された窓を有する窓部を備えている、請求項７に記載のトイレ用充填バルブ。
【請求項１９】
前記窓を有する窓部は、第１の窓と、この第１の窓と対向する関係をなす第２の窓とによって構成されている、請求項１８に記載のトイレ用充填バルブ。
【請求項２０】
水流路を有するトイレ用充填バルブであって、
前記水流路の一部分を構成し且つ水流入口を有するハウジングと、
前記水流路内の水の圧力を減少させるために前記水流路に配置された圧力調整器と、
この圧力調整器内に含まれる螺旋構造体と、を有し、この螺旋構造体は、それを分けている上下方向平面内に配置された軸線を有し、前記水流路を螺旋形状に形成し、
更に、前記螺旋構造体に含まれる第１フランジを有し、この第１フランジは、第１の平面の輪郭を有し、前記上下方向平面と略垂直であり、
更に、前記螺旋構造体に含まれる第２フランジを有し、この第２フランジは、第２の平面の輪郭を有し、前記上下方向平面と略垂直であり、前記第１フランジと連結されている、ことを特徴とするトイレ用充填バルブ。
【請求項２１】
水流の第１の部分を流入させ、その水流の第１の部分を第１の方向に流出させる第１の窓と、
水流の第２の部分を流入させ、その水流の第２の部分を、前記第１の方向と略対向する第２の方向に流出させる第２の窓と、を有する請求項２０に記載のトイレ用充填バルブ。
【請求項２２】
水流の前記第１の部分は、それが前記第２の窓からの水流の前記第２の部分にぶつかるように前記第１の窓によって差し向けられ、
前記第１の窓及び前記第２の窓に流入する前記水流のエネルギーは、前記第１の窓及び前記第２の窓から流出する水流のエネルギーよりも大きい、請求項２１に記載のトイレ用充填バルブ。
【請求項２３】
更に、前記複数の窓からの水流を受け入れるように配置された縦樋を有する、請求項２０に記載のトイレ用充填バルブ。
【請求項２４】
更に、前記バルブと前記複数の窓との間に配置された圧力調整器を有する、請求項２３に記載のトイレ用充填バルブ。
【請求項２５】
前記圧力調整器は、前記縦樋と一体である、請求項２４に記載のトイレ用充填バルブ。
【発明の詳細な説明】
【０００１】
（発明の分野）
本発明はトイレに関連し、より詳細にはトイレのタンクを水で充填するためのバルブに関連する。
（先行技術の説明）
一般的なトイレ構造は、トイレボウル（便器）と、便器を水洗する水のリザーバを提供するタンクとを備えている。充填バルブが、タンク内に位置決めされ、外部の水源からの水を受け、水洗操作に引き続いてタンクを充填するように構成されているのが一般的である。これらの充填バルブは、水流路と水流入口とを有するハウジングを含むのが一般的である。水流路の水流入口とタンクへの水流出口を形成する縦樋との間には、バルブが配置されている。このバルブは、水洗後、制御された方法でタンクを再充填するようにフロート機構によって作動される。
【０００２】
過去においては、水流路内の水の圧力を制御するために、バルブの入口側に圧力調整器が設けられていた。この水流路は、バルブまでは水平構造を有しており、典型的には、圧力調整器は、この水流路内で水平に延びるような向きに配置されていた。これは、ハウジングの寸法を大きくし、また、ハウジングがタンクの中に長い距離延びることを必要とした。
【０００３】
縦樋は上下方向の向きに配置されることが一般的であるので、過去には、水が高速且つ乱流で下方に向かって滝のように落ちる傾向があった。このことにより、水がタンクの底に衝突して大変大きなノイズを発生させることとなっていた。この音は、不愉快なものであり、ノイズをタンク内に閉じ込めるためにタンク壁に防音を施す数多くの試みがなされてきた。
【０００４】
トイレの水洗及びこれに続く水タンクの再充填に関連したノイズの大きさを減らすことに、常に関心が払われてきた。充填バルブに関しては、ノイズは、水の速度、乱流、さらには、横面に衝突する水の流れに関連するのが一般的である。このノイズには２つのタイプがある。第１のタイプは、空気を通して伝わり、一般に、”エアノイズ”と呼ばれるものである。第２のタイプのノイズは、バルブハウジング、落下に関連するパイプ等の固形物体の中を通る振動によって伝わるものである。このノイズは、一般に、”パイプノイズ”と呼ばれている。過去には、水の速度を遅くしノイズの一部を減少させるべく、水をガラスビーズリザーバの中を通すように差し向けていた。又、振動を吸収すべく、パイプ及び管にダンパを使用することも行われていた。これらの試みは、トイレ用充填バルブに関連するエアノイズ及びパイプノイズに対して限定的な効果しか有していなかった。
【０００５】
（発明の開示）
これらの先行技術の欠点は、本発明によって克服され、本発明の一実施形態は、水流路の出口部分に配置された圧力調整器を必要としている。このように位置決めされた圧力調整器は、バルブに対して水流入口の反対側に配置される。バルブのハウジングは、略水平の向きに取付けられるように構成された入口部分と、略上下の向きに取付けられるように構成された出口部分とを含んでいる。この実施形態では、圧力調整器は、ハウジングの出口部分内に延び、縦樋の中に延びている。このような構成により、圧力調整器をハウジングの水平部分に設ける必要がなく、充填バルブの幅を最小寸法に維持できる。これにより、本発明の充填バルブをトイレタンクの壁に近接して取付けることができる。
圧力調整器は、内径を規定する段付きシリンダと、外径を規定する複数の平行な径方向フランジを備えた螺旋構造体とを有するのが好ましい。この構造は、圧力調整器を成形工程で製造するのを著しく容易にする。螺旋構造体は、ハウジングの上下方向部分に作動的に配置される。上下方向の螺旋構造体内で水を上方に流すことにより、重力による水の圧力調整を容易にする。縦樋への挿入を容易にし且つ縦樋からの外れを規制するように角度が付けられた複数の歯を含む取付け突起が、螺旋構造体の軸線方向に延びている。
【０００６】
充填バルブに関連するノイズは、主に、水の流れ特性によるものである。高速で乱流の程度が高い水は、水流路を通過するときに著しく大きなノイズを発生させる。本発明に関連する圧力調整器は、水の速度を著しく低下させ、種々の流れ差し向け装置が、乱流を減少させる。加えて、圧力調整器と縦樋の組み合わせが、エネルギー低下を生じさせる種々の直径拡大部分を備えている。その結果、高い程度の層流が、著しい低速で達成される。この結果得られたノイズ減少により、ノイズがタンクの底壁に垂直に直接ぶつかる水からのものであっても、本発明の充填バルブを作動中殆ど無音にする。
【０００７】
本発明の一態様では、水流路を有するトイレ用充填バルブは、水流路の一部を構成するハウジングを含む。バルブがハウジングの水流路に配置され、ハウジングを上流部分と下流部分とに分割している。圧力調整器がハウジングの下流部分に配置され、圧力調整器は、バルブに対して水流入口の反対側のハウジング内の圧力を低下させる。圧力調整器は、縦樋と共に拡径段付き部を形成する。本発明の他の態様では、圧力調整器は、軸線を有し、水流路を螺旋形に形成する螺旋構造体を含んでいる。螺旋構造体に含まれる第１フランジが第１の直径方向平面内の向きに略配置され、螺旋構造体に含まれる第２フランジが第２の直径方向平面内の向きに略配置されている。螺旋構造体に含まれるランプが、軸線、第１平面、第２平面を横断するように延びている。圧力調整器が下方に向かって延び且つ縦樋と共に縦樋内を層流にし易くする拡径段付き部を形成する取付け突起を含んでいる。
本発明のもう一つの態様では、トイレは、トイレを水洗するためのリザーバを提供するタンクを含んでいる。充填バルブは、トイレの水洗の後にタンク内に水を制御して放出できるように配置されている。充填バルブは、ハウジングと、タンク内への水の放出を制御するように水流路に配置されたバルブとを含んでいる。バルブとタンクとの間に延びる縦樋が、縦樋内を実質的に層流にし易くする拡径段付き部を構成する部分を含んでいる。縦樋内のタンク水が、充填水を層流にし易くする背圧を生じさせる。
【０００８】
これら及び他の本発明の特徴及び利点は、添付図面を参照して好ましい実施形態の説明を参照することによりあきらかになる。
【０００９】
（発明の好ましい実施例及びベストモードの説明）
図１には、参照符号１０で全体を示すトイレが図示されている。トイレ１０は、便器１２と、水１８用のリザーバ１６を提供するタンク１４とを含むタイプのものである。ここに、タンク１４は、一対の側壁２１、２３と、後壁２５と、底壁２７と、前壁（図示せず）とによって構成されている。本発明の充填バルブ３０は、タンク１４内に設けられており、側壁２１を介して外部の水源（図示せず）から水を受け入れるようになっている。使用中、トイレ１０は、水１８をリザーバ１６から便器１２に放出する水洗バルブ３２の操作によって水洗される。次の水洗操作の前にタンク１４を再充填するために、この水洗操作中及び水洗操作に引き続いて、充填バルブ３０は、外部の水源（図示せず）からリザーバ１６への水の制御された放出を行う。
【００１０】
図示の実施例に含まれる充填バルブ３０は、流入口３８から縦樋４１まで延びる水流路３６を形成するハウジング３４を含む。この実施例では、ハウジング３４は、軸線４５に沿ってほぼ水平方向にバルブ４７まで延びる入口部分４３を含む。バルブ４７の他方の側において、水流路３６は、軸線５２に沿ってほぼ上下方向に縦樋４１まで延びる出口部分５０によって形成されている。
【００１１】
フロート６１が、縦樋４１の軸線５２に沿って縦樋４１の上に乗るように、水１８の表面によって支持されている。フロート６１は、調節可能なシャフト６３に連結され、このシャフト６３は、バルブ４７と関連したアーム６５に連結されている。作動中、タンク１４内の水１８の表面が下がると、フロート６１が縦樋４１に沿って下降する。調節可能なシャフト６３は、フロート６１と共に下降し、それにより、アーム６５が下方に回動する。アーム６５の動作は、図３に最も良く図示されている。図３において、３つのフランジ７０、７２、７４でバルブ４７に係合するアーム６５が図示されている。フランジ７０、７４は各々、支点タブ７６、７８を含み、その回りをアーム６５が回動する。この回動動作により、フランジ７２はピン８１をバルブ４７から既知の方法で出し入れさせる。下降するフロート６１と共にアーム６５が下方に回動すると、ピン８１が外方に押されてバルブ４７を開き、ハウジング３４の入口部分４３と出口部分５０との間の流体連通を許す。上昇するフロート６１と共にアーム６５が上方に回動すると、ピン８１が内方に押されてバルブ４７を閉じ、ハウジング３４の入口部分４３と出口部分５０との間の流体連通を禁止する。
【００１２】
充填バルブ３０の幾つかの内部構成部品を図５に拡大して示す。これらの内部構成部品は、ハウジング３４の頂部に取付られるサイホン防止インサート８３を含み、このサイホン防止インサート８３は、キャップ８５で覆われている。サイホン防止インサート８３は、環状部９０からほぼ軸線方向に延びるフランジ構造部８７を含む。バルブ３０の内部構成部品はまた、後に詳しく説明する圧力調整器９２を含む。サイホン防止インサート８３及びこれと関連したキャップ８５は、図６に最も良く図示されているエアギャップ９４を形成する。
【００１３】
この構造は、サイホン防止インサート８３がバルブ３０内を自由に上下方向に移動するので、エアギャップとして機能する。水がバルブ３０を通って流れるとき、インサート８３は、キャップ８５に押し付けられ、エアギャップ９４からの水のロスを防止するシールを形成する。しかしながら、水がバルブ３０内に存在しないと、インサート８３が落下してエアギャップ９４を通じた流体流れを作り、それにより、バルブ３０を介した水のサイホン現象を防止する。
【００１４】
図６はまた、バルブ３０内の水の流れを説明するのに最も適している。最初、水１８は、矢印９６で示すように、流入口３８からバルブ３０に入る。水は、バルブ４７まで延びる入口流路１０１を含む水流路９８に流入口３８から流入する。この水の流れは、矢印１０３で最も良く示されている。
【００１５】
バルブ４７の反対側では、水流路９８は、矢印１０７で水の流れを示す出口流路１０５によって形成されている。水１８は、出口流路１０５からサイホン防止インサート８３のフランジ構造部８７を通って上方に流れ、参照符号１１０で示すキャビティに入る。このキャビティ１１０は、ハウジングの出口流路５０の底部まで延びており、この底部で、キャビティ１１０は圧力調整器９２に遭遇する。水１８は、ハウジング３４の底部の遭遇位置から、矢印１１２で示すように、圧力調整器９２の中を上方に流れる。圧力調整器９２の頂部で、水は、上下方向に且つ半径方向に延びる旋回流を除去するブレード９３と遭遇して、旋回する水の流れによる乱れは、実質的に除去される。水は、ブレード９３から下降して、圧力調整器９２と関連した中心導管１１４に流入する。この水の流れを矢印１１６で示す。
【００１６】
図８、図９を参照すれば、圧力調整器９２の好ましい実施例が、螺旋構造体１２１と、環状ディスク１２５によって螺旋構造体１２１と分離された取付突起１２３とを含むことが分かるであろう。図９の軸線方向縦断面図に最も良く示すように、螺旋構造体１２１は、軸線方向チューブ１２７と、複数の環状フランジ１３０〜１３９とを含み、環状フランジ１３０〜１３９は、軸線方向チューブ１２７のほぼ半径方向に延びている。好ましい実施例では、これらのフランジ１３０〜１３９は、千鳥状に配置され且つ複数のランプ１４０〜１４８によって連結され、各ランプは、図８に示すように、フランジ１３０〜１３９の対向している対の間に延びている。螺旋構造体１２１のこの構造は、圧力調整器９２の成形方法を非常に簡易なものにするという点で特に利点がある。
【００１７】
作動中、螺旋構造体１２１は、矢印１１２で示すように、水用の曲がりくねった経路を提供する。この曲がりくねった経路は、水路を長くして、経路の側壁に沿うエネルギーロスを増大させる。水を螺旋構造体１２１の回りに常に回転させるのに必要なエネルギーによって、この壁によるロスは、更に増大される。このように、螺旋構造体１２１によって引き起こされるエネルギーロスは、相当な圧力降下をもたらし、それにより、所望の圧力調整を行うことができる。
【００１８】
圧力調整器９２の上下方向の向きの配置により、水１８の圧力を調整するのに重力の利点を得ることができる。流路が螺旋構造体１２１の底部から始まって螺旋構造体１２１の頂部で終わることで、圧力の更なる調整が達成される。
【００１９】
図示の実施例では、圧力調整器９２の取付突起１２３は、螺旋構造体１２１のシリンダ１２７と同軸のシリンダ１５２を含む。幾つかのフランジ１５４、１５６、１５８がシリンダ１５２の半径方向外方に延び、これらフランジの各々には、複数の歯１６１が設けられており、これらの歯１６１は、環状体１２５及び螺旋構造体１２１に対面するように形作られている。図６に最も良く示すように、この取付突起１２３は、フランジ１５４〜１５８と縦樋４１とが高摩擦をなすような大きさ及び形状に作られている。歯１６１が螺旋構造体１２１の方向を向いているので、螺旋構造体１２１が縦樋１４１から外れるのを防止しつつ、取付け突起１２３を縦樋４１の中に装着することは容易である。取付け突起１２３が作動可能に取り付けられると、この取付け突起１２３は、縦樋４１の一部を事実上形成して、水流路の最終形態を作る。
【００２０】
水１８が圧力調整器９２から進んで縦樋４１を通過するとき、水１８用に設けられた上下方向落下部が図６の参照符号１６５、１６７、１７０で示すような幾つかの拡径段付き部を含むのが良い。これらの段付き部の各々は、直径が下方向に増大する構造体によって構成される。かくして、拡径段付き部１６５は、チューブ１５２の内径まで拡径するチューブ１２７の内径によって構成される。同様に、拡径段付き部１６７は、チューブ１５２の上端とチューブ１５２の下端との間の内径の拡径部によって構成される。拡径段付き部１７０は、チューブ１５２の内径から縦樋４１の内径までの拡径部によって構成される。これらの各々において、拡径段付き部１６５〜１７０は、水のエネルギーをかなり減少させる。このエネルギーの減少によって、水の速度及び乱流が相当に減少する。その結果、縦樋４１から出てタンク１４の底壁２７に接する水は、実質的に層流になる。水がリザーバ１６の中に入ると、水の層流は、タンク１４を再充填することに伴うノイズを大幅に減じる。
【００２１】
上述の説明から、本発明のこの実施例が圧力調整器９２の上下方向の向きの配置を提供することは明らかであろう。更に、この圧力調整器９２は、バルブ４７の出口側に配置され、ハウジング３４の上下方向出口通路５０に配置されている。この構造的な形態は、充填バルブ３０の水平方向の幅を相当に減じるという点で特に利点がある。結論として、バルブ３０をタンク１４の側壁２１に近接した状態に維持することができる。
【００２２】
複数の半径方向のフランジを有する圧力調整器９２の螺旋構造体１２１を形成することは、特に利点があると思われる。これにより、この部品の成型を大幅に容易にして製造コストを下げることができる。
【００２３】
本発明の充填バルブのもう一つの実施形態が、図１０に示されており、図１０では、上述した要素と同様の要素は、同一の参照番号に”ａ”を付して示してある。図１０の充填バルブ３０ａは、（水流路３６ａに沿って）、水流入口３８ａ、ハウジング３４ａ、アーム６５ａによって作動可能なバルブ４７ａを備えている。
【００２４】
バルブ４７ａの下流では、水流路３６ａが、サイホン防止インサート８３ａを貫通し、縦樋４１ａを含む出口部分５０ａの中に延びている。図１１に示すように、縦樋４１ａを、圧力調整器９２ａを含む縦樋構造体１８１の一部分として形成しても良い。好ましい実施形態では、この縦樋構造体１８１は、コネクタ１８３によって、ハウジング３４ａに連結されている。
【００２５】
図１２は、水平なバルブ構造体の軸線、および、上下方向の縦樋構造体の軸線に沿って切断した軸線方向断面図である。従って、図１２は、上記実施形態の図６と同様である。この図面から、これらの実施形態が両方とも、バルブ４７ａまで延びる入口通路１０１ａに沿って水の流れを差し向けることがわかる。バルブ４７ａの反対側では、水の流れは、サイホン防止インサート８３ａに続く出口通路１０５ａに沿って差し向けられる。しかしながら、図１０の実施形態では、サイホン防止インサート８３ａを囲むキャビティ１１０ａが、チャンバ１８５を通して、螺旋形圧力調整器９２ａの頂部に連通している。図６の実施形態とは逆に、図１０の実施形態の水流は、螺旋形圧力調整器９２ａを通して、下方に向かって流れる。重力の方向の運動にもかかわらず、圧力調整器９２ａは、縦樋構造体１８１に流れ込む水のエネルギーを著しく減少させる。
【００２６】
図１４の拡大図を参照すると、図１０の実施形態で特に重要な更なるエネルギーの減少を理解することができる。水が圧力調整器９２ａの中を環状フランジ１３１ａ−１３８ａ及びそれらと関連するランプ（傾斜面）１４７ａ−１４３ａに沿って流れると、水は、全体が参照番号１８７で示される分岐ステーションに到達する。この分岐ステーション１８７は、上下方向チャネル１９０と水平方向チャネル１９２とに分かれている、環状フランジ１３５ａと１３７ａとの間の単一流れチャネルによって特徴付けられる。
【００２７】
この分岐ステーション１８７を通る水の流れは、矢印１９４によって示され、矢印１９４は、上下方向チャネル１９０に至る矢印１９６と、水平方向チャネル１９２に至る矢印１９８とに分かれている。水平方向チャネル１９２は、上下方向チャネル１９０と類似しているが圧力調整器９２ａの反対側に配置されているもう一つの上下方向チャネル２０１に至る。この構成により、矢印１９６、１９８によって示すように、流路内の水は、２つの流れ経路に分けられており、更に、これらの２つの流れ経路は、一対のフランジ２０３、２０５によって分離されている。
【００２８】
これらの分けられた水流は、それぞれの少なくとも１つの窓を有する関連した窓部に向けられる。こうして、矢印１９６で示す水流は、窓２１０、２１２、２１４を含む窓部２０７に差し向けられる。
【００２９】
同様に、矢印１９８によって示す流れ経路は、窓２１８、２２１、２２３を有する、窓部２０７と対向する別の窓部２１６に差し向けられる。矢印１９６、１９８で示す水は、フランジ２０３及び２０５の一方の側の窓１１０、１１２、１１４とその他方の側の窓２１８、２２１、２２３を別々に流れるので、これらの別々の流れは、互いに衝突し、図１２、図１３で最も良く示されているチャンバ２２５の中で混じる。このチャンバ２２５は、縦樋４１ａの頂部に配置されている。
【００３０】
混合流内の水のエネルギーを減少させるために、矢印１９６、１９８で示す別々の水の流れが、互いに衝突するように差し向けられることが特に重要である。このように、窓の目的は、これらの別々の水流を互いに対向する方向に動かし、互いの衝撃をできるだけ直接的にすることにある。このため、第１の窓部２０７の窓１１０、１１２、１１４はそれぞれ、第２の窓部２２６の窓２２３、２２１、２１８と直接対向している。対向している窓からの出てくる水流と水流との間の衝撃により、縦樋３１ａの中に流れていく水のエネルギーを著しく減少させる。
【００３１】
上述したように、図１０の実施形態は、単一の縦樋構造体１８１への縦樋４１ａと圧力調整器９２ａとの組み合わせによって、さらなる効果を奏する。この構造は、図１５に最も良く示すように、コネクタ１８３を使用して、最も容易に取付けられ、且つ、作動的に位置決めされる。コネクタ１８３は、一端にネジ山２３０を、他端に配置された複数のバヨネットランプ（傾斜面）２３２を備え、ほぼ円筒状である。ネジ山２３０は、ハウジング３４ａの同様のネジ山２３４と係合するような寸法形状を備え、バヨネットランプ２３２は、縦樋構造体１８１のバヨネットラグ２３６と係合するように、寸法決めされ且つ位置決めされている。組み立て工程中、コネクタ１８３のねじ山２３０を、ハウジング３４ａのねじ山にねじ込む。ついで、縦樋構造体１８１をコネクタ１８３に挿入し、ラグ２３６をランプ２３２に嵌めるだけで、完全に接続される。
【００３２】
本発明のある好ましい実施形態を詳細に検討すると、充填バルブ３０を特定の環境に適用するための多くの変更・改良が明らかになる。例えば、平行フランジ１３０−１３９を備えた螺旋構造体１２１を、入口通路４３内で水平方向に配置してもよい。同様に、他の螺旋構造体を、図示の実施形態と交換し、出口通路５０内で上下方向に配置してもよい。縦樋４１を圧力調整器９２又はハウジング３４とほぼ固定関係で保持するために、フランジ１５４−１５８、歯１６１以外の構造体を使用してもよい。水の最終落下を構成するような構造体内での配置場所が好ましいが、拡径段付き部１６５−１７０を水流路３６に沿ったいずれの場所に設けても良い。
【００３３】
本発明による圧力調整器は、螺旋構造体１２１を通ってほぼいずれの方向にも動く水を伴ってもよい。衝突水部分に関連して、２または３以上の対向し各々が少なくとも１つの窓であって、対向する窓部の窓と対向する窓を有する窓部によって、エネルギーが減少させられる。
【００３４】
これらの又は他の変形は、本発明のために達成される。その結果、本発明の概念は、図示または上記の実施形態だけに限定されるものではなく、添付の特許請求の範囲に記載された発明の概念にのみ決定される。
【図面の簡単な説明】
【図１】  便器と、本発明の充填バルブ付きのタンクとを含むトイレの正面図である。
【図２】  トイレ用充填バルブの平面図である。
【図３】  トイレ用充填バルブの側面図である。
【図４】  本発明のトイレ用充填バルブの背面図である。
【図５】  本発明のトイレ用充填バルブの拡大図である。
【図６】  本発明のトイレ用充填バルブの軸線に沿った断面図である。
【図７】  図４の６−６線に沿った断面図である。
【図８】  本発明の充填バルブに関連した圧力調整器の側面図である。
【図９】  図８に示す圧力調整器の軸線に沿った断面図である。
【図１０】  本発明の別の実施例の斜め上方から見た斜視図である。
【図１１】  図１０に示すバルブの分解図である。
【図１２】  図１０の１２−１２線に沿って切断した軸線方向の断面図である。
【図１３】  図１２の１３−１３線に沿って切断した軸線方向の断面図である。
【図１４】  対向する窓を有する窓部を示す縦樋の拡大側面図である。
【図１５】  縦樋コネクタを示す下側から見た分解図である。
【図１】
0003800315.tif 000002
【図２】
0003800315.tif 000003
【図３】
0003800315.tif 000004
【図７】
0003800315.tif 000005
【図４】
0003800315.tif 000006
【図５】
0003800315.tif 000007
【図６】
0003800315.tif 000008
【図８】
0003800315.tif 000009
【図９】
0003800315.tif 000010
【図１０】
0003800315.tif 000011
【図１１】
0003800315.tif 000012
【図１２】
0003800315.tif 000013
【図１３】
0003800315.tif 000014
【図１４】
0003800315.tif 000015
【図１５】
0003800315.tif 000016